(57)【要約】【課題】磁性体反転表示パネルの液体収容室内に収容した液体の降伏値及び粘度が高い状態でも低い状態でも、筆記面を濁らすことなく筆記線を消去することのできる磁性体反転表示パネル用の磁気イレーザーを提供する。【解決手段】磁性体反転表示パネル用の、Ｎ極又はＳ極の何れか一方の磁極が磁性体反転表示パネルの筆記面に対向するように消去用磁石を容器部材に配設した磁気イレーザーにおいて、前記消去用磁石が、磁性体反転表示パネルの筆記面に対して磁気イレーザーを押圧した際に、筆記面に対して近接可能とする。【選択図】　　　図５
2004050593.tif 000002
【特許請求の範囲】
【請求項１】
Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の、Ｎ極又はＳ極の何れか一方の磁極が磁性体反転表示パネルの筆記面に対向するように消去用磁石を容器部材に配設した磁気イレーザーにおいて、前記消去用磁石が、磁性体反転表示パネルの筆記面に対して磁気イレーザーを押圧した際に、筆記面に対して近接可能としたことを特徴とする磁性体反転表示パネル用の磁気イレーザー。
【請求項２】
前記消去用磁石の磁性体反転表示パネル筆記面に当接する側に、圧縮可能な弾性部材を配設し、磁性体反転表示パネルの筆記面に対して磁気イレーザーを押圧した際に、前記弾性部材が圧縮して前記消去用磁石が消去面に対して近接可能とした、請求項１に記載の磁性体反転表示パネル用の磁気イレーザー。
【請求項３】
前記消去用磁石の磁性体反転表示パネルの筆記面に当接する側に、筆記面に当接する当接部材を、容器部材に弾性手段を介して無負荷の状態で前記消去用磁石から離間するように配設し、磁性体反転表示パネルの筆記面に対して磁気イレーザーを押圧した際に、前記弾性手段が圧縮して前記消去用磁石が前記当接部材及び筆記面に対して近接可能とした、請求項１に記載の磁性体反転表示パネル用の磁気イレーザー。
【発明の詳細な説明】
【０００１】
【発明の属する技術分野】
本発明は、磁性体反転表示パネル用の磁気イレーザーに関する。
【０００２】
【従来の技術】
従来より、例えばＳ極側表面部分を緑にＮ極側表面部分を白に着色した磁性体を分散媒と増稠剤とを主成分とする降伏値を有する液体中に分散してなした分散液体を、複数の液体収容室（例えば、裏面板の上に配した隔壁により仕切られたハニカムセル）に収容し、該液体収容室の表側に透明な表面板を配して筆記面とし、筆記面が白色の状態（Ｎ極側表面部分が筆記面に向いた状態）で、磁気ペンのＮ極を近づけることにより、磁力で磁性体を反転させて白色の背景部に緑色（Ｓ極側表面部分が筆記面に向いた状態）の筆記線を書込む構造の、いわゆる磁性体反転表示パネルは知られている。また、書込んだ筆記線を消去するには、磁性体を反転させて筆記面を白色にする消去用磁石を有する構造の磁気イレーザーを用いることも知られている。該磁気イレーザーについて、図を用いて簡単に説明する。図９は従来構造の磁気イレーザーを示す断面図で、磁気イレーザー２０１は、消去用磁石２０４を保持する枠体２０２と、持ち易くするための把持部材２０８とからなる容器部材２０９に消去用磁石２０４を配設した構造である。詳述すると、消去用磁石２０４は、一端部２０４ａ側がＳ極の磁極２０４ｓ、他端部２０４ｂ側がＮ極の磁極２０４ｎとなる平板状で、四角形の枠体２０２の側面に貼り付け、消去用磁石２０４の他端部２０４ｂ側を被覆するように把持部材２０８を被せてある。消去用磁石２０４の一端部２０４ａ側に、消去用磁石２０４及び筆記面を保護するために布２０７を被覆してある。
【０００３】
【発明が解決しようとする課題】
ところで、前記磁性体反転表示パネルの液体収容室内に収容した液体の性質はチクソトロピー性を有し、磁性体反転表示パネルの製造直後を基準とすると、放置により経時的には降伏値及び粘度が上昇する傾向（液が硬くなる傾向）にある。また、Ｓ極とＮ極が複数交互に配置した磁石を筆記面に当接して磁性体を移動させ磁性体と共に液体が流動したような時には、降伏値及び粘度が下降する傾向（液が柔らかくなる傾向）にある。その時の液体の状態次第で磁性体を反転させるために必要となる磁石の吸引力は変化し、降伏値及び粘度が低い状態の磁性体反転表示パネルに磁力の強い磁気イレーザーを用いた場合には、筆記面に近づけた消去用磁石から離れた磁性体にまで磁力が悪影響を及ぼして必要としない磁性体を反転してしまうことから、筆記面に当接した消去用磁石の周りが白と緑の入り混じった濁った状態になるという問題がある。この問題を防ぐために、従来の磁気イレーザーの消去用磁石は、降伏値及び粘度が低い状態の液体に適応させるように設定してある。しかしながら、従来の磁気イレーザーは、経時的に液体の降伏値及び粘度が上昇した場合には、磁性体を反転するのに充分な磁力を与えることができなくなり、不完全な消去状態になるという問題があった。
【０００４】
本発明はこうした事実に鑑み、磁性体反転表示パネルの液体収容室内に収容した液体の降伏値及び粘度が高い状態でも低い状態でも、筆記面を濁らすことなく筆記線を消去することのできる磁性体反転表示パネル用の磁気イレーザーを提供することを目的とする。
【０００５】
【課題を解決するための手段】
次に、前記課題を解決するために案出した本発明を説明する。
「１．Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の、Ｎ極又はＳ極の何れか一方の磁極が磁性体反転表示パネルの筆記面に対向するように消去用磁石を容器部材に配設した磁気イレーザーにおいて、前記消去用磁石が、磁性体反転表示パネルの筆記面に対して磁気イレーザーを押圧した際に、筆記面に対して近接可能としたことを特徴とする。
２．前記消去用磁石の磁性体反転表示パネル筆記面に当接する側に、圧縮可能な弾性部材を配設し、磁性体反転表示パネルの筆記面に対して磁気イレーザーを押圧した際に、前記弾性部材が圧縮して前記消去用磁石が消去面に対して近接可能とする。
３．前記消去用磁石の磁性体反転表示パネルの筆記面に当接する側に、筆記面に当接する当接部材を、容器部材に弾性手段を介して無負荷の状態で前記消去用磁石から離間するように配設し、磁性体反転表示パネルの筆記面に対して磁気イレーザーを押圧した際に、前記弾性手段が圧縮して前記消去用磁石が前記当接部材及び筆記面に対して近接可能とする。」
【０００６】
本発明において、磁気イレーザーを磁性体反転表示パネルの筆記面に対して押圧した際に、消去用磁石を筆記面に対して近接可能とした構造にするのは、磁性体反転表示パネルの液体収容室内に収容した液体の降伏値及び粘度が低い状態の場合には、消去用磁石を筆記面から離間させることにより、消去用磁石が磁性体に与える吸引力を小さくし、降伏値及び粘度が高い状態の場合には、磁気イレーザーを筆記面に押圧して、消去用磁石を筆記面に接近させることにより、消去用磁石が磁性体に与える吸引力を大きくするためである。尚、消去用磁石の磁極の強さをｍ１、磁性体の磁極の強さをｍ２、その両極間の距離をｒ、両極間に作用する力（吸引力）をＦとすると、これらの関係はクーロンの法則で、Ｆ∝（ｍ１×ｍ２）／ｒ２と表される。
【０００７】
請求項２における弾性部材とは、ゴムやスポンジ等のように素材的に弾性力を有するものや、コイルスプリングや板バネ等のように形状的に弾性力を有する周知のものである。請求項３における当接部材は、特に限定されないが、磁性体反転表示パネルの筆記面を傷つけることのない材質で形成することが大切である。弾性手段とは、ゴムやスポンジ等の素材的に弾性力を有するものや、コイルスプリング等を配設することが挙げられる。また、当接部材及び弾性手段に関するものは、消去用磁石の磁界に影響を及ぼさないようにするため、非磁性体で形成することが好ましい。尚、当接部材の当接面に意匠性や保護を目的として当接部を布で被覆しても良い。
【０００８】
【発明の実施の形態】
本発明を理解し易くするために図を用いて説明を行なう。尚、本実施の形態における磁気イレーザーにおいては、磁性体反転表示パネルの筆記面に当接する側を下と表現し、その反対を上と表現する。同じ部材、同じ箇所を示す場合は同じ符号を付してある。また、磁性体反転表示パネルの磁性体の磁力は微弱であり、磁気イレーザーに用いる消去用磁石の磁力と比較すると、その値は前記計算式で無視できる程度のものであることから、本発明においては、消去用磁石と磁性体との間に作用する力は、消去用磁石の磁力による吸引力として表現してある。
【０００９】
第一の実施の形態の磁気イレーザーを図１〜図３に示す。図１は本実施の形態の磁気イレーザーの姿図で、図２は図１のＡ−Ａ線断面図で、図３は要部分解姿図である。磁気イレーザー１は、消去用磁石を保持する四角い貫通孔２ａを有する矩形の枠体２と、該枠体２の外周面を覆う四角い貫通孔５ａを有する矩形のケース体５と、持ちやすくするための把持部材８とからなる容器部材９に、消去磁石３，４を配設した構造で、枠体２の外方側面に、２枚の長い消去用磁石３と２枚の短い消去用磁石４とを両面テープ（図示せず）で貼付けてある。消去用磁石３，４は下端部３ａ，４ａにＳ極の磁極３ｓ，４ｓを配置し、上端部３ｂ，４ｂにＮ極の磁極３ｎ，４ｎを配置している。消去用磁石４は枠体２に形成した凹部２ｂに嵌めてある。その枠体２及び消去用磁石３，４を、ケース体５に納めてある。
【００１０】
枠体２の貫通孔２ａには、枠体２の下端及び消去用磁石３，４の下端３ａ，４ａ及びケース体５の下端を覆うフランジ部６ａを有した直方体形状の弾性部材６を挿着してある。弾性部材６は多孔質のポリウレタンからなるスポンジで弾性を有している。本実施の形態では、フランジ部６ａを含む底面を、磁性体反転表示パネルの筆記面（図示せず）に当接する当接部６ｂとしてある。また、当接部６ｂ及びケース体５の外周には布７を被覆して保護してあり、上側より把持部材８を被せてある。
【００１１】
次に、図を用いて本実施の形態の磁気イレーザーの作用の説明をする。尚、その説明の前に、磁性体反転表示パネルについて簡単に説明を行う。図１０は従来公知の磁性体反転表示パネルの断面図である。磁性体反転表示パネル１０１は、裏面板１０２に複数のハニカムセル１０３を構成する隔壁１０４を固着して形成した液体収容室１０５の表示面側に、筆記面１０６ａとなる透明な表面板１０６を隔壁１０４に固着して一体としてある。液体収容室１０５には、分散媒と増稠剤とからなる液体１０７中にＳ極とＮ極を有する磁性体１０８を分散した降伏値を有する分散液体１０９を収容してある。磁性体１０８はＳ極側表面部分を緑色に着色し、Ｎ極側表面部分を白色に着色してある。磁性体反転表示パネル１０１に筆記線を描き込むには、棒状の磁気ペン１１０を使用する。例えば、筆記面１０６ａが白色（Ｎ極側表面部分）の表示状態で、磁気ペン１１０の軸筒１１１の前方部に配設した磁石１１２のＮ極１１２ｎを筆記面１０６ａに当接して矢印Ｔ方向へ移動させると、吸引力Ｗ（図中の一点鎖線の矢印）により磁性体１０８の緑色（Ｓ極側表面部分）が線状に筆記面１０６ａ側へ配置される。この場合、背景が白色（Ｎ極側表面部分）の筆記面１０６ａに、緑（Ｓ極側表面部分）の筆記線が書かれた表示状態となる。
【００１２】
図４は磁性体反転表示パネルに本実施の形態の磁気イレーザーを使用した第一状態を示す要部断面図である。筆記面１０６ａが白（磁性体のＮ極側表面部分が筆記面に向いた状態）の背景に、緑（磁性体のＳ極側表面部分が筆記面に向いた状態）の筆記線が表示された状態である。図４に示す磁性体反転表示パネル１０１は製造直後のものであり、液体１０７の降伏値及び粘度が低い状態にある。第一状態の磁気イレーザー１は、筆記面１０６ａ方向に圧力を掛けておらず、消去用磁石４の磁極４ｓは当接部６ｂからフランジ部６ａの厚みの距離Ｌ１だけ離間している。この時の消去用磁石４の磁力が磁性体１０８に与える吸引力Ｆ１（図中一点鎖線の矢印）により、消去用磁石４の下に位置する磁性体（理解し易くするために１０８ａとする）を反転して白色（Ｓ極側表面部分）を筆記面１０６ａに向けさせている。第一状態の磁気イレーザー１は降伏値及び粘度が低い状態の液体１０７に適応するように設定してあるため、消去用磁石４の吸引力Ｆ１により他の磁性体が悪影響を受けることはない。この状態で、磁気イレーザー１を筆記面１０６ａ上で移動させることにより、消去用磁石４及び消去用磁石３の下の筆記線を順次消去することができる。
【００１３】
図５は磁性体反転表示パネルに本実施の形態の磁気イレーザーを使用した第二状態を示す要部断面図である。図４と同様に、筆記面１０６ａが白（磁性体のＮ極側表面部分が筆記面に向いた状態）の背景に、緑（磁性体のＳ極側表面部分が筆記面に向いた状態）の筆記線が表示された状態である。図５に示す磁性体反転表示パネル１０１は、放置により経時的に液体１０７の降伏値及び粘度が高い状態にある。図５に示す磁気イレーザー１は、筆記面１０６ａ方向に圧力を掛けて消去用磁石４がフランジ部６ａを圧縮しており、消去用磁石４の磁極４ｓは当接部６ｂから距離Ｌ２に接近してある。この時の消去用磁石４の磁力が磁性体１０８に与える吸引力Ｆ２（図中一点鎖線の矢印）は、液体１０７の降伏値及び粘度が高い状態であっても充分に磁性体１０８に作用して、消去用磁石４の下に位置する磁性体（理解し易くするために１０８ａとする）を反転して白色（Ｓ極側表面部分）を筆記面１０６ａに向けさせている。尚、第二状態の磁気イレーザー１は降伏値及び粘度が高い状態の液体１０７に適応するように設定してあるため、消去用磁石４の吸引力Ｆ２により他の磁性体が悪影響を受けることはない。この状態で、磁気イレーザー１を筆記面１０６ａ上で移動させることにより、前述同様に消去用磁石４及び消去用磁石３の下の筆記線を順次消去することができる。
【００１４】
図６は第二の実施の形態の磁気イレーザーの断面図である。磁気イレーザー１０は、消去用磁石を保持する中央に四角い貫通孔２０ａを有し且つその隣に２つの丸い貫通孔２０ｃを有する矩形の枠体２０と、該枠体２０の外周面を覆う四角い貫通孔（図示せず）を有する矩形のケース体５０と、持ち易くするための把持部材８０とからなる容器部材９０に、消去用磁石４０を配設した構造で、枠体２０の外周面に消去用磁石４０を両面テープ（図示せず）で貼付けてある。消去用磁石４０は下端部４０ａにＳ極の磁極４０ｓを配置し、上端部４０ｂにＮ極の磁極４０ｎを配置している。その枠体２０及び消去用磁石４０をケース体５０に納めてある。尚、本実施の形態では、ケース体５０の下方に下面を当接部６０ｂとした樹脂からなる板状の当接部材６０を配設し、当接部６０ｂ及びケース体５０の外周には布７０を被覆して保護してあり、上側より把持部材８０を被せてある。また、枠体２０の貫通孔２０ｃには弾性手段となるコイルスプリング１００を配設し、コイルスプリング１００の上部を把持部材８０に形成した凸部８０ａに嵌め、下部を当接部材６０に形成した凸部６０ｃに嵌めて固定してある。
【００１５】
次に、図を用いて本実施の形態の磁気イレーザーの作用の説明をする。
図７は磁性体反転表示パネルに本実施の形態の磁気イレーザーを使用した第一状態を示す要部断面図である。筆記面１０６ａが白（磁性体のＮ極側表面部分が筆記面に向いた状態）の背景に、緑（磁性体のＳ極側表面部分が筆記面に向いた状態）の筆記線が表示された状態である。図７に示す磁性体反転表示パネル１０１は製造直後のものであり、液体１０７の降伏値及び粘度が低い状態にある。第一状態の磁気イレーザー１０は、筆記面１０６ａ方向に圧力を掛けておらず、消去用磁石４０の磁極４０ｓは当接部６０ｂからコイルスプリング１００の弾発力により距離Ｌ３だけ離間している。この時の消去用磁石４０の磁力が磁性体１０８に与える吸引力Ｆ３（図中一点鎖線の矢印）により、消去用磁石４０の下に位置する磁性体（理解し易くするために１０８ａとする）を反転して白色（Ｓ極側表面部分）を筆記面１０６ａに向けさせている。第一状態の磁気イレーザー１０は降伏値及び粘度が低い状態の液体１０７に適応するように設定してあるため、消去用磁石４０の吸引力Ｆ３により他の磁性体が悪影響を受けることはない。この状態で、磁気イレーザー１０を筆記面１０６ａ上で移動させることにより、消去用磁石４０の下の筆記線を順次消去することができる。
【００１６】
図８は磁性体反転表示パネルに本実施の形態の磁気イレーザーを使用した第二状態を示す要部断面図である。図７と同様に、筆記面１０６ａが白（磁性体のＮ極側表面部分が筆記面に向いた状態）の背景に、緑（磁性体のＳ極側表面部分が筆記面に向いた状態）の筆記線が表示された状態である。図８に示す磁性体反転表示パネル１０１は、放置により経時的に液体１０７の降伏値及び粘度が高い状態にある。図８に示す磁気イレーザー１０は、筆記面１０６ａ方向に圧力を掛けてコイルスプリング１００を圧縮しており、消去用磁石４０の磁極４０ｓは当接部６０ｂから距離Ｌ４に接近してある。この時の消去用磁石４０の磁力が磁性体１０８に与える吸引力Ｆ４（図中一点鎖線の矢印）は、液体１０７の降伏値及び粘度が高い状態であっても充分に磁性体１０８に作用して、消去用磁石４０の下に位置する磁性体（理解し易くするために１０８ａとする）を反転して白色（Ｓ極側表面部分）を筆記面１０６ａに向けさせている。尚、第二状態の磁気イレーザー１０は降伏値及び粘度が高い状態の液体１０７に適応するように設定してあるため、消去用磁石４０の吸引力Ｆ４により他の磁性体が悪影響を受けることはない。この状態で、磁気イレーザー１０を筆記面１０６ａ上で移動させることにより、前述同様に消去用磁石４０の下の筆記線を順次消去することができる。
【００１７】
以上、本発明の実施の形態を詳述したが、本発明は、前記形態例に限定されるものではなく、特許請求の範囲に記載した本発明の要旨の範囲内で種々の変更を行うことができるものである。尚、磁性体反転表示パネルのパネル構造としては、マイクロカプセルを液体収容室として分散液体（磁性体を降伏値を有する液体中に分散した液体）を収容したものに採用することも可能である。
【００１８】
【発明の効果】
本発明の磁性体反転表示パネル用の磁気イレーザーは、使用時における磁性体反転表示パネルの液体収容室に収容した液体の状態に応じて筆記面と消去用磁石との間の距離を変化させ、消去用磁石の磁力が磁性体に及ぼす吸引力を調整できるので、液体の降伏値及び粘度が高い状態でも低い状態でも、筆記面を濁らすことなく筆記線をきれいに消去することのできるものとなった。特に、本発明の磁気イレーザーは、筆記面方向に圧力を掛けることにより消去用磁石が磁性体に与える吸引力を大きくすることができる構造のため、液体の降伏値及び粘度が高く磁性体が反転し難く、筆記線を消去し難くい時に、使用者が力みながら消すという自然の動作に適合している。
【図面の簡単な説明】
【図１】本実施の形態の磁気イレーザーの姿図である。
【図２】図１のＡ−Ａ線断面図である。
【図３】要部分解姿図である。
【図４】磁性体反転表示パネルに第一の実施の形態の磁気イレーザーを使用した第一状態を示す要部断面図である。
【図５】磁性体反転表示パネルに第一の実施の形態の磁気イレーザーを使用した第二状態を示す要部断面図である。
【図６】第二の実施の形態の磁気イレーザーの断面図である。
【図７】磁性体反転表示パネルに第二の実施の形態の磁気イレーザーを使用した第一状態を示す要部断面図である。
【図８】磁性体反転表示パネルに第二の実施の形態の磁気イレーザーを使用した第二状態を示す要部断面図である。
【図９】従来構造の磁気イレーザーを示す断面図である。
【図１０】従来公知の磁性体反転表示パネルの断面図である。
【符号の説明】
１，１０…磁気イレーザー、
２，２０…枠体、２ａ，２０ａ…貫通孔、２０ｃ…貫通孔、
３…消去用磁石、３ａ…下端部、３ｂ…上端部、
３ｎ…Ｎ極の磁極、３ｓ…Ｓ極の磁極、
４，４０…消去用磁石、４ａ，４０ａ…下端部、４ｂ，４０ｂ…上端部、
４ｎ，４０ｎ…Ｎ極の磁極、４ｓ，４０ｓ…Ｓ極の磁極、
５，５０…ケース体、５ａ…貫通孔、
６…弾性部材、６ａ…フランジ部、６ｂ…当接部、
６０・・・当接部材、６０ｂ・・・当接部、
７，７０…布、８，８０…把持部材、
９，９０・・・容器部材、１００…コイルスプリング、
１０１…磁性体反転表示パネル、１０２…裏面板、１０３…ハニカムセル、
１０４…隔壁、１０５…液体収容室、１０６…表面板、１０６ａ…筆記面、
１０７…液体、１０８…磁性体、１０９…分散液体、
１１０…磁気ペン、１１１…軸筒、１１２…磁石。
【図１】
2004050593.tif 000003
【図２】
2004050593.tif 000004
【図３】
2004050593.tif 000005
【図４】
2004050593.tif 000006
【図５】
2004050593.tif 000007
【図６】
2004050593.tif 000008
【図７】
2004050593.tif 000009
【図８】
2004050593.tif 000010
【図９】
2004050593.tif 000011
【図１０】
2004050593.tif 000012